(57)【特許請求の範囲】
【請求項１】
少なくとも１つの内蔵チューナを備えたテレビジョン受像機であって、リモコン送信器から受信したリモコン信号を受信識別して前記内蔵チューナのチャンネルの選局状態を制御するテレビ側リモコン受信手段を備え、前記選局されたチャンネルの映像および音声信号をディスプレイおよびスピーカから出力することができるテレビジョン受像機で実際に視聴されているチャンネルを判定する方法において、
（ａ）前記リモコン送信器からの信号を受信識別して前記テレビジョン受像機で選局されているチャンネルを決定するステップ、
（ｂ）予め定められた複数のチャンネルのうち任意のチャンネルの音声信号を出力することができる基準チューナから出力される音声信号が前記テレビジョン受像機の前記スピーカから出力される音声信号と一致するように、前記基準チューナのチャンネルの選局状態を制御するステップ、
を含み、
前記ステップｂは、
（ｂ−１）前記基準チューナから出力される音声信号が前記テレビジョン受像機の前記スピーカから出力される音声信号と一致しなくなったとき、前記双方の音声信号が一致するまで前記ステップａで決定されているチャンネルから順に１チャンネルずつ前記基準チューナのチャンネルを変更するステップ、
（ｂ−２）前記双方の音声信号が再び一致したときの前記基準チューナの選局中チャンネルを視聴中チャンネルに決定するステップ、
（ｂ−３）前記決定した視聴中チャンネルの情報と時刻情報とを含む視聴データを記憶手段に記憶するステップ、
を含むことを特徴とする視聴チャンネル判定方法。
【請求項２】
（ｃ）前記テレビジョン受像機の前記ディスプレイに表示されている映像のフォーマットの種類を検出するステップ、
を更に含み、
前記ステップｂ−３で前記記憶手段に記憶する視聴データに、前記ステップｃで検出された映像のフォーマットの種類を含めることを特徴とする請求項１記載の視聴チャンネル判定方法。
【請求項３】
前記ステップｃは、
（ｃ−１）前記テレビジョン受像機の前記ディスプレイに加えられる水平同期信号を検出するステップ、
（ｃ−２）前記ステップｃ−１で検出された水平同期信号の周期をカウントするステップ、
（ｃ−３）前記ステップｃ−２でカウントされたカウント値に基づいて前記ディスプレイに表示されている映像のフォーマットの種類を判定するステップ、
を含むことを特徴とする請求項２記載の視聴チャンネル判定方法。
【請求項４】
前記ステップｂは、
（ｂ−４）前記ステップｂ−２で決定した視聴中チャンネルの情報をチャンネル情報保持部（３４３）に書き込むステップ、
をさらに含み、
前記ステップａは、
（ａ−１） 前記リモコン送信器から受信したリモコン信号の識別結果および前記チャンネル情報保持部に保持されている視聴中チャンネルの情報に基づいて切替先のチャンネルを決定するステップ、
（ａ−２）前記ステップａ−１で決定したチャンネルの情報を前記チャンネル情報保持部に書き込むステップ、
を含むことを特徴とする請求項１記載の視聴チャンネル判定方法。
【請求項５】
前記ステップｂ−１は、前記基準チューナから出力される音声信号の周波数スペクトルと前記テレビジョン受像機の前記スピーカから出力される音声信号の周波数スペクトルとを算出し、双方の周波数スペクトルを比較することにより、前記基準チューナから出力される音声信号と前記テレビジョン受像機の前記スピーカから出力される音声信号とが一致しなくなったか、および一致したかを判定することを特徴とする請求項１記載の視聴チャンネル判定方法。
【請求項６】
少なくとも１つの内蔵チューナを備えたテレビジョン受像機であって、リモコン送信器から受信したリモコン信号を受信識別して前記内蔵チューナのチャンネルの選局状態を制御するテレビ側リモコン受信手段を備え、前記選局されたチャンネルの映像および音声信号をディスプレイおよびスピーカから出力することができるテレビジョン受像機で実際に視聴されているチャンネルを判定する装置において、
予め定められた複数のチャンネルのうちの任意のチャンネルの音声信号を出力することができる基準チューナと、
前記テレビジョン受像機の前記スピーカから出力される音声信号と前記基準チューナから出力される音声信号とが一致するか否かを検出する音声比較手段と、
前記リモコン送信器からの信号を受信識別して前記テレビジョン受像機で選局されているチャンネルを決定するモニタ側リモコン受信手段と、
前記音声比較手段の出力が一致検出状態を維持するように前記基準チューナのチャンネルの選局状態を制御する制御手段であって、前記音声比較手段の出力が一致検出状態から不一致検出状態に変化したとき、前記音声比較手段で一致が検出される前記基準チューナのチャンネルが見つかるまで前記モニタ側リモコン受信手段で決定されているチャンネルから順に１チャンネルずつ前記基準チューナのチャンネルを変更していき、前記音声比較手段の出力が一致検出状態に戻ったときの前記基準チューナの選局中チャンネルを視聴中チャンネルに決定し、該決定した視聴中チャンネルの情報と時刻情報とを含む視聴データを出力する制御手段と、
前記制御手段から出力された前記視聴データを記憶する記憶手段とを備えたことを特徴とする視聴チャンネル判定装置。
【請求項７】
前記テレビジョン受像機の前記ディスプレイに表示されている映像のフォーマットの種類を検出する映像フォーマット検出手段を備え、前記制御手段は前記視聴データに前記映像フォーマット検出手段の検出結果を含めることを特徴とする請求項６記載の視聴チャンネル判定装置。
【請求項８】
前記映像フォーマット検出手段は、前記テレビジョン受像機の前記ディスプレイに加えられる水平同期信号を検出する同期信号検出手段と、前記同期信号検出手段で検出された水平同期信号の周期をカウントするカウンタと、前記カウンタのカウント値に基づいて前記ディスプレイに表示されている映像のフォーマットの種類を判定するフォーマット判定手段とを含む請求項７記載の視聴チャンネル判定装置。
【請求項９】
前記モニタ側リモコン受信手段は、前記制御手段によって検出された視聴中チャンネルの情報が書き込まれるチャンネル情報保持部と、前記リモコン送信器から受信したリモコン信号の識別結果および前記チャンネル情報保持部に保持されているチャンネルの情報に基づいて切替先のチャンネルを決定し、該決定したチャンネルの情報を前記チャンネル情報保持部に書き込む識別部とを備えることを特徴とする請求項６記載の視聴チャンネル判定装置。
【請求項１０】
前記基準チューナは、前記内部チューナと同じ種類のチューナであって前記制御手段からチャンネル選局状態が制御されるモニタ側チューナおよび該モニタ側チューナの出力から左右の音声信号を復調する音声復調手段を含むセットを、前記テレビジョン受像機に備わる前記内部チューナの種類数分備え、かつ、前記複数セットのうち前記制御手段から指定されたセット内の前記音声復調手段から出力される左右の音声信号を選択して前記音声比較手段に出力する第１のアナログスイッチを備え、
前記音声比較手段は、前記テレビジョン受像機のスピーカ出力端子からケーブルを通じて取り出された左右の音声信号のうち前記制御手段から指定された左音声信号または右音声信号を選択する第２のアナログスイッチと、前記基準チューナから出力された左右の音声信号のうち前記制御手段から指定された左音声信号または右音声信号を選択する第３のアナログスイッチと、前記第２のアナログスイッチを通過した音声信号に対して高速フーリエ変換を行う第１の演算器と、前記第３のアナログスイッチを通過した音声信号に対して高速フーリエ変換を行う第２の演算器と、前記第１の演算器の演算結果と前記第２の演算器の演算結果とを比較し、比較結果を検出出力として前記制御手段に出力する比較器とを備えることを特徴とする請求項６記載の視聴チャンネル判定装置。
【発明の詳細な説明】
【０００１】
【発明の属する技術分野】
本発明はテレビジョン受像機で実際に視聴しているチャンネルを判定する視聴チャンネル判定方法及び装置に関する。
【０００２】
【従来の技術】
テレビ視聴率を測定するためにサンプル世帯に設置されたテレビジョン受像機で実際に視聴しているチャンネルを判定する方法として、従来より各種の方法が提案ないし実用化されているが、その方法の一つに、音声信号を利用する方法がある。これは、テレビジョン受像機（以下、単にテレビと称す）から出ている音声信号の特徴量と、別途設置した基準チューナから得られる音声信号の特徴量とを比較し、両者が一致するまで基準チューナのチャンネルを順次に変化させ、一致した際のチャンネルを視聴チャンネルと判定するものである。このような技術を記載した文献として特開平１０−３０８７１１号公報がある。また、特開平７−３２７０１７号公報には、カーラジオと基準ラジオ双方の音声信号の周波数スペクトルを比較することによって聴取率を測定する方法が記載されている。
【０００３】
【発明が解決しようとする課題】
従来からの地上アナログ放送に加え、ＢＳデジタル放送が開始され、また地上デジタル放送も近く運用を開始する予定であり、本格的な多チャンネル化の時代を迎えつつある。これに伴い、地上アナログ放送に加えてＢＳデジタル放送等、複数種類の放送を１台で視聴できるテレビが開発され、一部は既に市販されている。このように１台のテレビで視聴できるチャンネル数が増加すると、判定対象となるチャンネル数が増える結果、上述した従来の方法では視聴チャンネルの判定に時間がかかるという課題がある。特に、デジタル放送では、音声はＭＰＥＧ−２のＡＡＣ(Advanced Audio Coding)でデコードするためアナログ放送に比べて復調に時間がかかり、より一層判定処理が遅延する。例えば、判定対象となるチャンネル数をｎ、１チャンネル当りの判定時間をｔとすると、従来の方法では、最悪時にはｎ×ｔの時間がかかり、平均でもその半分の時間がかかってしまう。
【０００４】
また、従来の地上アナログ放送では我が国においてはＮＴＳＣ方式による映像フォーマットで放送されているが、デジタル放送では多種多様な映像フォーマットが使用されている。例えば、ＢＳデジタル放送の場合、有効走査線数と走査方法の違いにより４８０ｉ、４８０ｐ、７２０ｐ、１０８０ｉの４種類の映像フォーマットがある。他方、受信側のテレビには、受信した映像フォーマットに自動的に切り替えてディスプレイに映像を表示する機能を持つタイプと、ディスプレイの走査方法を１つか２つに限定し、それに合わせて、受信した映像を信号処理でフォーマット変換して表示するタイプとがある。例えば、４８０ｉ、４８０ｐ、７２０ｐ、１０８０ｉを全て４８０ｉにフォーマット変換して表示するなどである。つまり、放送された映像フォーマットで必ずしも視聴されていない状況が発生する。このため、視聴率調査に付加価値を付けるためにも、テレビのディスプレイに実際に表示されている映像のフォーマットを検出し、これを視聴率調査データに含めることが望まれる。
【０００５】
本発明はこのような事情に鑑みて提案されたものであり、その目的は、テレビで視聴されているチャンネルをより高速に判定し得るようにすることにある。
【０００６】
本発明の別の目的は、テレビのディスプレイに実際に表示されている映像フォーマットを検出し得るようにすることにある。
【０００７】
【課題を解決するための手段】
本発明はテレビで実際に視聴しているチャンネルを判定するために、テレビのスピーカから出力される音声信号と基準チューナで独自に生成した各判定対象チャンネルの音声信号とを順次に比較する際、テレビのリモコン送信器からの信号を傍受して得た切替先のチャンネルを最初の判定対象チャンネルとすることを基本とする。より具体的には、予め定められた複数のチャンネルのうち指定されたチャンネルの音声信号を出力する基準チューナと、テレビのスピーカから出力される音声信号の特徴量と基準チューナから出力される音声信号の特徴量との類似度を判定することにより双方の音声信号が一致するか否かを検出する音声比較手段と、テレビのリモコン送信器からの信号を受信識別するリモコン受信部と、音声比較手段で一致が検出されるまで基準チューナのチャンネルを変化させる手段であって、リモコン受信部で受信識別された切替先のチャンネルを最初に基準チューナに指定する制御手段とを備えている。
【０００８】
また本発明は、テレビのディスプレイに表示されている映像のフォーマットをディスプレイの水平走査信号の周期を測定して検出し、視聴データに含める。より具体的には、テレビのディスプレイに加えられる水平同期信号を検出する同期信号検出手段と、同期信号検出手段で検出される水平同期信号の周期をカウントするカウンタと、カウンタのカウント値に基づいてテレビのディスプレイに表示されている映像のフォーマットを判定するフォーマット判定手段とを備えている。
【０００９】
【作用】
今や各家庭において、テレビ自体に配設されているチャンネル切替ボタンを使ってチャンネルを切り替えることは殆ど行われておらず、専らリモコン送信器を使ってチャンネルを切り替えている。本発明はこの点に着目し、リモコン送信器からの信号を傍受して切替先のチャンネルを特定し、このチャンネルの音声を最初に比較対象とすることで、視聴チャンネルの判定を高速化している。
【００１０】
【発明の実施の形態】
図１を参照すると、本発明の一実施の形態は、調査対象者の所有にかかるテレビ１と、テレビ１を遠隔操作するためのリモコン送信器２と、視聴率測定のために設置された測定機であるメータ３とから構成される。
【００１１】
テレビ１は、内部チューナとして、地上アナログ放送受信用のＶＨＦ／ＵＨＦチューナ１１とＢＳデジタル放送受信用のＢＳデジタルチューナ１２とを備えている。また、図示しないスピーカの音声信号を外部に取り出すためのスピーカ出力端子１３を有する。スピーカ出力端子１３は、Ｌ（左）チャンネルの音声信号を出力するＬ端子と、Ｒ（右）チャンネルの音声信号を出力するＲ端子とで構成される。さらに、リモコン送信器２からの信号を受信してテレビ１の電源のオン、オフ、チャンネルの切替などを制御するリモコン受信部１４を内蔵する。Ｈ同期センサ１５は、テレビ１の図示しないディスプレイ（ブラウン管）に映し出されている映像フォーマットを検出するために取り付けたもので、テレビ１のフライバックトランス等の近傍から水平同期信号を検出する。
【００１２】
リモコン送信器２は、テレビ１を遠隔操作するための各種のボタンを有し、利用者によって操作されたボタンに応じた信号を赤外線信号に変換して外部に放射する。リモコン送信器２の概略平面図を図２に示す。図２において、電源ボタン２１はテレビ１の電源をオンまたはオフするためのボタン、音量調節ボタン２２は音量を増減するためのボタン、チャンネル変更ボタン２３は現在視聴しているチャンネルの一つ前または一つ後のチャンネルを選択するためのボタンである。また、多数配列されたボタン２４は、チャンネルをダイレクトに選択するためのボタンであり、各チャンネルに１対１に対応している。
【００１３】
メータ３は、テレビ１とケーブル４〜６で接続され、また測定した調査データを図示しないセンタに送信するためにケーブル７によって電話回線などに接続されている。メータ３内には、音声比較部３１、基準チューナ３２、映像フォーマット検出部３３、リモコン受信部３４、送信部３５、記憶部３６及びこれらに接続された制御部３７が設けられる。
【００１４】
基準チューナ３２は、テレビ１に内蔵されたチューナ１１、１２とは独立に、地上アナログ放送とＢＳデジタル放送をメータ３側で受信復調する部分であり、信号線４１を通じて制御部３７から指定されたチャンネルを選局し、そのチャンネルの少なくとも音声信号を復調して信号線４２、４３を通じて音声比較部３１に出力する。ここで、信号線４２はＬチャンネルの音声信号を伝達し、信号線４３はＲチャンネルの音声信号を伝達する。図３に基準チューナ３２の内部構成を示す。
【００１５】
図３において、地上波Ｖ／Ｕアナログチューナ３２１は、地上アナログ放送におけるＶＨＦ、ＵＨＦの各チャンネルを受信するためのもので、制御部３７から信号線４１−２を通じて指定されたＶＨＦチャンネルまたはＵＨＦチャンネルを選択的に受信する。次段の音声復調部３２２は当該チャンネルの音声信号を復調する。ＢＳデジタルチューナ３２３は、ＢＳデジタル放送の各チャンネルを受信するためのもので、制御部３７から信号線４１−３を通じて指定されたＢＳチャンネルを選択的に受信する。次段のＭＰＥＧ−２（ＡＡＣ）デコーダ３２４は当該チャンネルの音声信号を復調する。アナログスイッチ３２５は、音声復調部３２２から出力される左右の音声信号とＭＰＥＧ−２（ＡＡＣ）デコーダ３２４から出力される左右の音声信号とのうち、制御部３７から信号線４１−１を通じて指定された側の左右の音声信号を選択して、音声比較部３１へ出力する。
【００１６】
音声比較部３１は、ケーブル４、５を通じてテレビ１のスピーカ出力端子１３から入力した左右の音声信号の特徴量と、信号線４２、４３を通じて基準チューナ３２から入力した音声信号の特徴量とを求め、双方の特徴量の類似度を判定することにより、テレビ１から出ている音声が基準チューナ３２から出ている音声と一致するか否かを検出し、その検出結果を信号線４４を通じて制御部３７へ通知する。音声信号の特徴量としては周波数スペクトル構造を用いる。図４に音声比較部３１の内部構成を示す。
【００１７】
図４において、アナログスイッチ３１１は、ケーブル４、５を通じてテレビ１のスピーカ出力端子１３からの左右の音声信号を入力し、信号線４４−１を通じて制御部３７から左側音声の選択が指定された場合には、ケーブル４の左の音声信号を選択して検査音声信号として出力し、右側音声の選択が指定された場合には、ケーブル５の右の音声信号を選択して検査音声信号として出力する。次段のＦＦＴ演算器３１２は、アナログスイッチ３１１から出力された検査音声信号に対して高速フーリエ変換を行い、得られた特徴量を検査特徴量として出力する。他方、アナログスイッチ３１３は、信号線４２、４３を通じて基準チューナ３２からの左右の音声信号を入力し、信号線４４−１を通じて制御部３７から左側音声の選択が指定された場合には、信号線４２の左の音声信号を選択して基準音声信号として出力し、右側音声の選択が指定された場合には、信号線４３の右の音声信号を選択して基準音声信号出力する。次段のＦＦＴ演算器３１４は、アナログスイッチ３１３から出力された基準音声信号に対して高速フーリエ変換を行い、得られた特徴量を基準特徴量として出力する。演算結果比較器３１５は、ＦＦＴ演算器３１２から出力された検査特徴量とＦＦＴ演算器３１４から出力された基準特徴量との類似度を求め、その類似度が予め設定された閾値以上である場合、一致を示す検出結果を信号線４４−２に出力し、それ以外は不一致を示す検出結果を信号線４４−２に出力する。
【００１８】
映像フォーマット検出部３３は、テレビ１のディスプレイに加えられる水平同期信号をＨ同期センサ１５で検出し、この検出した水平同期信号の周期をカウントすることにより、テレビ１のディスプレイに表示されている映像のフォーマットを判定する。図５に映像フォーマット検出部３３の内部構成を示し、図６にその動作タイミングチャートを示す。
【００１９】
図５において、波形整形部３３１は図６（ａ）に示すようなＨ同期センサ１５の出力信号を入力し、それを波形整形して図６（ｂ）に示すような水平同期信号を出力する。タイミング回路３３２は、図６（ｃ）〜（ｅ）に示すように、波形整形部３３１から入力される水平同期信号の１周期毎に、カウンタ３３３に対するイネーブル信号とクリア信号を反転させ、またイネーブル信号を立ち下げた直後にラッチ回路３３５に対してセット信号を出力する。クロック発振器３３４は、サブキャリア（副搬送波）の周波数の４倍の周波数（14.31818MHz）のクロックを発生する。カウンタ３３３は、タイミング回路３３２からのイネーブル信号がハイレベルとなっている期間、すなわち水平同期信号の１周期にわたってクロック発振器３３４のクロックをカウントする。ラッチ回路３３５は、タイミング回路３３２からのラッチ信号のタイミングでカウンタ３３３のカウント値をラッチすることで、水平同期信号の１周期のクロック数を保持する。テーブル３３６は、各映像フォーマットの種類毎のカウント基準値を予め保持する。比較部３３７は、ラッチ回路３３５に保持されたカウント値が、テーブル３３６の各エントリに記憶されたどのカウント基準値と或る許容度をもって一致するかを調べ、一致したカウント基準値に対応してテーブル３３６に設定されている映像フォーマットの種類を示す情報を検出結果としてレジスタ３３８にセットする。レジスタ３３８の内容は信号線４５を通じて制御部３７から読み出し可能になっている。
【００２０】
図７に地上アナログ放送で採用されるＮＴＳＣ−ＭとＭＵＳＥ、ＢＳデジタル放送で採用される４８０ｉ、４８０ｐ、７２０ｐ、１０８０ｉの特徴を示す。画像フォーマット検出部３３は、これらの特徴のうち、水平操作の繰り返し周波数の違いに基づいて検出を行っている。すなわち、副搬送波の４倍の周波数（14.31818MHz）のクロックを１水平走査期間にわたってカウントした場合、そのカウント値は、ＮＴＳＣ−Ｍと４８０ｉでは約９１０、ＭＵＳＥと１０８０ｉでは約４２４、４８０ｐでは約４０３、７２０ｐでは約３１８になる。従って、これらの数値をカウント基準値としてテーブル３３６に設定しておくことで、テレビ１のディスプレイに映し出されている映像のフォーマットを検出することができる。
【００２１】
リモコン受信部３４は、リモコン送信器２から出る信号を傍受して識別する部分である。一般にリモコン送信器２から出射する赤外線信号はある程度周囲に拡散して伝播するため、リモコン受信部３４をテレビ１のリモコン受信部１４の近く（例えばテレビ１の筐体の上など）に設置しておくことで、リモコン送信器２の信号を傍受することは容易である。図８にリモコン受信部３４の内部構成を示す。
【００２２】
図８において、受光部３４１は、リモコン送信器２から出射した赤外線信号を受光し、電気信号に変換して識別部３４２へ出力する。識別部３４２は、この電気信号で表現される信号パターンに基づいてリモコン送信器２によって利用者が指示した操作内容を識別し、チャンネル情報保持部３４３に最新のチャンネルの情報を記憶する。例えば、図２のリモコン送信器２におけるボタン２４の何れかによって利用者が特定のチャンネルをダイレクトに選択する信号を傍受した場合、このチャンネルの情報をチャンネル情報保持部３４３に記憶する。また、ボタン２３の操作によりチャンネルを一つ前または一つ後に変更する信号を傍受した場合、チャンネル情報保持部３４３に記憶されているチャンネルの情報をその一つ前または一つ後のチャンネルの情報に変更する。チャンネル情報保持部３４３の内容は信号線４６を通じて制御部３７から読み出すことができ、また制御部３７からチャンネル情報保持部３４３の記憶内容を変更することができる。チャンネル情報保持部３４３は、テレビ１の電源のオン、オフにかかわらず内容を保持する。従って、テレビ１の電源がオンされた時点では、前回オフされた時点のチャンネル情報を保持している。
【００２３】
送信部３５は、メータ３で測定されたテレビ１にかかる視聴状況データを予め定められた時刻に図示しないセンタへ送信する部分であり、記憶部３６は、測定された視聴状況データを一時的に記憶したり、メータ３で必要な各種の設定情報を記憶しておくために使われる。設定情報の一つに、判定対象チャンネルのリストがある。このリストは、図９のリスト３６１に示されるように、地上アナログ放送およびＢＳデジタル放送で視聴できる全チャンネル（ここでは、チャンネル０からチャンネルｎまでのチャンネルとする）を列挙したものであり、１つのエントリに１つのチャンネルの情報が格納されている。このチャンネルの情報に基づき、制御部３７が基準チューナ３２へのチャンネルの指定を行う。なお、図９に示すポインタ（ｐ）３６２は、判定対象チャンネルリスト３６１のうち、次に判定対象とすべきチャンネルを指し示すもので、０からｎまでの範囲の値をとる。
【００２４】
制御部３７は、メータ３の全体的な制御を司る部分で、ＭＰＵおよび制御プログラムで実現される。制御部３７で行われる制御の流れを図１０に示す。
【００２５】
以下、本実施の形態の動作を説明する。
【００２６】
制御部３７は、図１０に示す視聴チャンネルの判定処理を開始すると、まず、リモコン受信部３４のチャンネル情報保持部３４３に記憶されたチャンネル情報（ｘとする）を信号線４６を介して読み出す（ステップＳ１）。次に、判定対象チャンネルリスト３６１に記憶されているチャンネルのうち、ステップＳ１で読み出したチャンネル情報ｘが示すチャンネルと同じチャンネルを指し示すようにポインタｐ（３６２）を設定する（ステップＳ２）。
【００２７】
次に、ポインタｐが指し示すチャンネルの情報を信号線４１を通じて基準チューナ３２に指定し、そのチャンネルを受信させる（ステップＳ３）。このチャンネルをＣ（ｐ）と記す。このとき、チャンネルＣ（ｐ）が地上アナログ放送にかかるチャンネルの場合、信号線４１−２によって地上波Ｖ／Ｕアナログチューナ３２１へチャンネルを指定し、信号線４１−１によってアナログスイッチ３２５に音声復調部３２２の出力を選択させる。また、ＢＳデジタル放送にかかるチャンネルの場合には信号線４１−３によってＢＳデジタルチューナ３２３へチャンネルを指定し、信号線４１−１によってＭＰＥＧ−２（ＡＡＣ）デコーダ３２４の出力を選択させる。これにより、基準チューナ３２からチャンネルＣ（ｐ）の左右の音声信号が信号線４２、４３を通じて音声比較部３１へ送られる。他方、テレビ１のスピーカ出力端子１３から取り出された左右の音声信号はケーブル４、５によって音声比較部３１に入力されている。
【００２８】
次に制御部３７は、まず左の音声信号どうしを比較するために、信号線４４−１を通じて音声比較部３１のアナログスイッチ３１１、３１３のそれぞれに、左の音声信号（ケーブル４、信号線４２）を選択させる（ステップＳ４）。これにより、ＦＦＴ演算器３１２はテレビ１から出ている左の音声信号の特徴量を検査特徴量として抽出し、ＦＦＴ演算器３１４はチャンネルＣ（ｐ）の左の音声信号の特徴量を基準特徴量として抽出する。そして、演算結果比較器３１５は、検査特徴量と基準特徴量との類似度を算出し、予め設定された閾値以下で類似しているなら、一致を示す検出結果を信号線４４−２に出力し、そうでなければ不一致を示す検出結果を信号線４４−２に出力する。
【００２９】
制御部３７は、予め定められた一定時間の間に音声比較部３１から一致を示す検出結果が出力されるか否かを監視しており（ステップＳ５）、一定時間内に一致検出出力が出なかった場合（ステップＳ５でＮＯ）、同じチャンネルＣ（ｐ）の右の音声信号どうしの比較を行う。一般にステレオ放送の場合、左の音声信号（Ｌチャンネル音声）だけで判定は可能であるが、バイリンガル放送等の場合、視聴者が副音声のＲチャンネル音声を選択している可能性があるためである。右の音声選択では、信号線４４−１を通じて音声比較部３１のアナログスイッチ３１１、３１３のそれぞれに、右の音声信号（ケーブル５、信号線４３）を選択させる（ステップＳ６）。これにより、ＦＦＴ演算器３１２はテレビ１から出ている右の音声信号の特徴量を検査特徴量として抽出し、ＦＦＴ演算器３１４はチャンネルＣ（ｐ）の右の音声信号の特徴量を基準特徴量として抽出し、演算結果比較器３１５は、この検査特徴量と基準特徴量との類似度を算出し、予め設定された閾値以下で類似しているなら、一致を示す検出結果を信号線４４−２に出力し、そうでなければ不一致を示す検出結果を信号線４４−２に出力する。制御部３７は、予め定められた一定時間の間に音声比較部３１から一致を示す検出結果が出力されるか否かを監視し（ステップＳ７）、一定時間内に一致検出出力が出なかった場合（ステップＳ７でＮＯ）、ポインタｐの値を＋１し（ステップＳ８）、その値が最大値ｎを超えていなければ（ステップＳ９でＮＯ）、ステップＳ３に戻って、上述した処理を判定対象チャンネルリスト３６１の次の判定対象チャンネルに対して繰り返す。また、ポインタｐの値が最大値ｎを超えていれば（ステップＳ９でＹＥＳ）、ポインタｐの値を０に設定し（ステップＳ１０）、ステップＳ３に戻って、上述した処理を判定対象チャンネルリスト３６１の先頭の判定対象チャンネルに対して繰り返す。
【００３０】
他方、ステップＳ５およびステップＳ７の何れかにおいて、音声比較部３１から一致検出出力が出ていることが確認された場合、チャンネルＣ（ｐ）を視聴チャンネルと判定する（ステップＳ１１）。そして、判定した視聴チャンネルの情報でリモコン受信部３４のチャンネル情報を書き換える（ステップＳ１２）。これは、リモコン受信部３４で受信識別されていたチャンネルがテレビ１の視聴チャンネルと必ずしも一致しているとは限らないためである。
【００３１】
次に、映像フォーマット検出部３３で検出されている映像フォーマット検出結果を信号線４５を通じてレジスタ３３８から読み出し（ステップＳ１３）、一つの視聴データを生成して記憶部３６に記憶する（ステップＳ１４）。一つの視聴データは、視聴チャンネルの情報、映像フォーマット検出結果、現在時刻を含む。
【００３２】
次に制御部３７は、少なくとも一定時間毎に音声比較部３１から一致検出結果が出力され続けているか否かを監視する（ステップＳ１５）。利用者がテレビ１のチャンネルを変えずに同じチャンネルを視聴している場合、音声比較部３１から一致検出結果が出力され続けるため、制御部３７はこのステップＳ１５にとどまる。しかし、利用者がリモコン送信器２を操作してテレビ１のチャンネルを変更すると、一致検出結果が出なくなる。そのことを制御部３７が検出すると（ステップＳ１５ＮＯ）、ステップＳ１に戻って、上述した処理を繰り返すことにより、変更後のチャンネルを判定する。ここで、テレビ１のチャンネルを変更する際にリモコン送信器２から放射された信号はメータ３のリモコン受信部３４で傍受され、切替先のチャンネルの情報でチャンネル情報保持部３４３の内容が書き換えられる。従って、制御部３７が、チャンネル情報保持部３４３のチャンネル情報ｘを読み出し（ステップＳ１）、それにあわせてポインタｐを設定し（ステップＳ２）、チャンネルＣ（ｐ）を判定対象チャンネルに設定すれば（ステップＳ３）、高い確率で当該チャンネルＣ（ｐ）が視聴チャンネルと判定されることになる。高い確率という条件が付くのは、リモコン送信器２からの信号が障害物等の影響を受けてリモコン受信部３４に到達しないことがあるためである。
【００３３】
このように本実施の形態によれば、テレビ１で視聴されているチャンネルを高速に判定することができ、且つ、当該チャンネルの映像をどのような映像フォーマットで視聴しているかを検出することができる。
【００３４】
なお、本発明は以上の実施の形態にのみ限定されず、その他各種の付加変更が可能である。例えば、以下のように構成することもできる。
【００３５】
調査対象のテレビとして、ＶＨＦ／ＵＨＦチューナ１１とＢＳデジタルチューナ１２とを内蔵するテレビ１を例に挙げたが、内蔵チューナの種類と個数はこれに限定されない。また、ＳＴＢ（セットトップボックス）を用いてＢＳデジタル放送等を受信しているテレビも調査対象にすることができる。
【００３６】
テレビ１のスピーカから出ている音声をスピーカ出力端子１３から取り出すようにしたが、マイクロフォンでスピーカの出力音声を拾う構成とすることも可能である。
【００３７】
サンプル世帯のどの個人がテレビ１を視聴しているかまで測定する、いわゆる個人視聴率調査に適用する場合、リモコン送信器２を例えば実願平５−７３０４６号に提案されている個人識別信号送信機兼テレビ操作用リモコンとすることもできる。
【００３８】
テレビ１が、ビデオテープレコーダ等のＡＶ機器のモニタとしても使えるように外部入力端子を持つＡＶテレビの場合、先ずテレビで実際に視聴しているソースを判定し、視聴ソースが放送波である場合に視聴チャンネル判定を行うようにすることができる。視聴ソースの判定方法としては、例えば特許第１６２７８５２号の「ＡＶ端子検出方法」や、本出願人が先に提案した「外部入力端子検出方法及び装置」（特願２００２−１６６８１）を利用することができる。
【００３９】
【発明の効果】
以上説明したように、本発明によれば、テレビを遠隔操作するリモコン送信器の信号を活用したことにより、テレビで視聴されているチャンネルを高速に判定することができる効果がある。また、チャンネルの映像をどのような映像フォーマットで視聴しているかを検出することができ、視聴率調査の付加価値を高めることが可能となる。
【図面の簡単な説明】
【図１】本発明の一実施の形態のブロック図である。
【図２】リモコン送信器の概略平面図である。
【図３】基準チューナの内部構成を示すブロック図である。
【図４】音声比較部の内部構成を示すブロック図である。
【図５】映像フォーマット検出部の内部構成を示すブロック図である。
【図６】映像フォーマット検出部の動作タイミングチャートである。
【図７】地上アナログ放送で採用されるＮＴＳＣ−ＭとＭＵＳＥ、ＢＳデジタル放送で採用される４８０ｉ、４８０ｐ、７２０ｐ、１０８０ｉの特徴を示す図である。
【図８】メータに設置されたリモコン受信部の内部構成を示すブロック図である。
【図９】判定対象チャンネルリストの説明図である。
【図１０】制御部の制御動作を示すフローチャートである。
【符号の説明】
１…テレビ
２…リモコン送信器
３…メータ
４〜７…ケーブル
１１…ＶＨＦ／ＵＨＦチューナ
１２…ＢＳデジタルチューナ
１３…スピーカ出力端子
１４…リモコン受信部
１５…Ｈ同期センサ
３１…音声比較部
３２…基準チューナ
３３…映像フォーマット検出部
３４…リモコン受信部
３５…送信部
３６…記憶部
３７…制御部
４１〜４６…信号線
【図１】
0003669965.tif 000002
【図２】
0003669965.tif 000003
【図３】
0003669965.tif 000004
【図４】
0003669965.tif 000005
【図５】
0003669965.tif 000006
【図６】
0003669965.tif 000007
【図７】
0003669965.tif 000008
【図８】
0003669965.tif 000009
【図９】
0003669965.tif 000010
【図１０】
0003669965.tif 000011